(57)【要約】【課題】  フレームにパネル材を取付けるための加工を施す必要がなく、かつ同じフレームを利用して多種多様のパネル材を取付可能とする。【解決手段】  方形をなすパネル材６の外周部に、方形に組立て可能なパネル支持枠５の内周面に形成した内向コ字状断面をなす保持部を嵌合するとともに、パネル支持枠５の周囲を、その外周面に形成された凹部に、方形に組立て可能な枠状フレーム４の内周面を嵌合して保持する。【選択図】  図２
2005143563.tif 000002
【特許請求の範囲】
【請求項１】
方形をなすパネル材の外周部に、方形に組立て可能なパネル支持枠の内周面に形成した内向コ字状断面をなす保持部を嵌合するとともに、前記パネル支持枠の周囲を、その外周面に形成された凹部に、方形に組立て可能な枠状フレームの内周面を嵌合して保持したことを特徴とするパネル構造。
【請求項２】
パネル支持枠の凹部の断面形状を、枠状フレームの内周面の断面形状と整合させてなる請求項１記載のパネル構造。
【請求項３】
枠状フレームを、コ形枠杆と、その開口端を閉塞するように結合された直状枠杆とからなるものとした請求項１または２記載のパネル構造。
【請求項４】
コ形枠杆を下向コ字状をなすように配置し、その下方の開口端と直状枠杆の両端とを、パネル支持体に取付可能な連結部材より結合した請求項３記載のパネル構造。
【請求項５】
枠状フレームを、Ｌ形枠杆と、その２辺と対向する開口端を閉塞するように結合された２個の直状枠杆とからなるものとした請求項１または２記載のパネル構造。
【請求項６】
枠状フレームを金属パイプにより形成した請求項１〜５のいずれかに記載のパネル構造。
【請求項７】
パネル支持枠と枠状フレームとの複数個所を、パネル支持枠の内方より螺挿したねじにより固定した請求項１〜６のいずれかに記載のパネル構造。
【発明の詳細な説明】
【技術分野】
【０００１】
本発明は、例えば机の後端や側端に、目隠し又は仕切り用として立設されるパネル、もしくは衝立等として用いられるパネルの構造に関する。
【背景技術】
【０００２】
この種の従来のパネル構造としては、上下左右の枠材により方形の枠状フレームを形成し、このフレームの内面に設けた嵌合溝に、パネル材の外周部を嵌合して保持したり、布材の上下の端部と両側部に取付けた芯材を嵌合して張設したもの（例えば特許文献１、２参照）や、方形の枠状フレームを、クロス材により覆ったもの（例えば特許文献３参照）などがある。
【特許文献１】特開平９−１７７２０９号公報
【特許文献２】特開平９−２８７２２４号公報
【特許文献３】特開２００２−１５３３３３号公報
【発明の開示】
【発明が解決しようとする課題】
【０００３】
上記特許文献１及び２に記載されている従来のパネル構造では、いずれも、枠状フレームの内面にパネル材を保持するための溝を加工する必要があるため、枠状フレームを構成する枠材の製造コストが高くなる。
【０００４】
また、パネル材がフレームに直接保持されているため、形状や材質等の異なるパネル材を枠状フレーム内に装着するためには、それに適した枠状フレームに交換する必要があり、パネル材の種類に応じて複数のフレームを用意しなければならないため、コスト高となる。
【０００５】
一方特許文献３に記載されたパネル構造では、枠状フレームがクロス材により覆われているので、パネルの形状はほぼ一定となり、同じフレームを利用して、異なる材質や形状の異なるパネル材を取付けることはきない。
【０００６】
本発明は、上記問題点に鑑みてなされたもので、フレームには、パネル材を保持するための加工を何ら施す必要がなく、その製造コストを低減しうるとともに、同じフレームを利用して、多種多様なパネル材を装着しうるようにしたパネル構造を提供することを目的としている。
【課題を解決するための手段】
【０００７】
本発明によると、上記課題は、次のようにして解決される。
（１）方形をなすパネル材の外周部に、方形に組立て可能なパネル支持枠の内周面に形成した内向コ字状断面をなす保持部を嵌合するとともに、前記パネル支持枠の周囲を、その外周面に形成された凹部に、方形に組立て可能な枠状フレームの内周面を嵌合して保持する。
【０００８】
（２）上記(１)項において、パネル支持枠の凹部の断面形状を、枠状フレームの内周面の断面形状と整合させる。
【０００９】
（３）上記(１)または(２)項において、枠状フレームを、コ形枠杆と、その開口端を閉塞するように結合された直状枠杆とからなるものとする。
【００１０】
（４）上記(３)項において、コ形枠杆を下向コ字状をなすように配置し、その下方の開口端と直状枠杆の両端とを、パネル支持体に取付可能な連結部材より結合する。
【００１１】
（５）上記(１)または(２)項において、枠状フレームを、Ｌ形枠杆と、その２辺と対向する開口端を閉塞するように結合された２個の直状枠杆とからなるものとする。
【００１２】
（６）上記(１)〜(５)項のいずれかにおいて、枠状フレームを金属パイプにより形成する。
【００１３】
（７）上記(１)〜(６)項のいずれかにおいて、パネル支持枠を枠状フレームとの複数個所を、パネル支持枠の内方より螺挿したねじにより固定する。
【発明の効果】
【００１４】
請求項１記載の発明によれば、枠状フレームにパネル材取付用の加工を施すことなく、該パネル材を安定して取付けることができるので、枠状フレームの製造コストが低減される。
また、パネル保持枠の内周面の形状を、パネル材の外周部の形状に合わせるだけで、同じ枠状フレームを利用して、形状や材質等の異なる多種多様のパネル材を取付けることができる。
【００１５】
請求項２記載の発明によれば、パネル支持枠の凹部に、枠状フレームの内周面が密着して嵌合され、互いの接触面積が増大するので、パネル支持枠が枠状フレームの内周面より外れる恐れはない。
【００１６】
請求項３記載の発明によれば、コ形枠杆と直状枠杆とを２個所で連結するだけで、枠状フレームを形成しうるので、パネルの組立作業が容易となる。
【００１７】
請求項４記載の発明によれば、連結部材を利用して、組立てられたパネルを机やその他のパネル支持体に立設することができる。
【００１８】
請求項５記載の発明によれば、枠状フレームの２辺が開口されるので、上下寸法の大きなパネルでも容易に組立てることができる。
【００１９】
請求項６記載の発明によれば、金属パイプを折曲するだけで、コ形枠杆やＬ形枠杆を簡単に形成しうるとともに、パネル支持枠の周囲を強固に囲繞して保持することができる。
【００２０】
請求項７記載の発明によれば、パネル支持枠が枠状フレームに強固に固着されるため、パネル材の取付強度も大となる。
【発明を実施するための最良の形態】
【００２１】
以下、本発明の最良と思われる実施形態を、図面に基づいて説明する。
図１は、本発明を、机のデスクトップパネルに適用した第１の実施形態を示すもので、パネル(１)は、机(２)の後端に設けた幕板(３)の上面に立設されている。
【００２２】
パネル(１)は、図２の分解斜視図にも示すように、左右方向に長い方形の枠状フレーム(４)と、その内面に装着されるパネル支持枠(５)と、このパネル支持枠(５)の内面に取付けられるパネル材(６)とを備えている。
【００２３】
枠状フレーム(４)は、金属パイプを正面視下向きコ字状に折曲して形成されたコ形枠杆(4a)と、その開口下端に連結される、上記コ形枠杆(4a)と同径の金属パイプよりなる直管状の下部枠杆(4b)とからなり、両枠杆(4a)(4b)は、左右１対の連結部材(７)により、次のようにして連結される。
【００２４】
図３及び図４に示すように（左右対称につき、一方のみ図示する）、連結部材(７)における水平をなすベース板(7a)の側端部上面には、上向筒部(7b)と、その側面に直角に連設された内向筒部(7c)とが突設され、両筒部(7b)(7c)の上端面と側端面には、それぞれ、コ形枠杆(4a)の下端と下部枠杆(4b)の側端の筒部内に嵌合可能な小径部(８)(８)が突設されている。
【００２５】
上向筒部(7b)と内向筒部(7c)の内部には、それぞれ下端が開口する上下方向を向く取付孔(９)と、外側面が開口する左右方向を向く取付孔(10)とが、互いの交差部において連通するように形成され、かつそれらの小径部(８)には、両取付孔(９)(10)よりも小径の通孔(11)(11)が、両取付孔(９)(10)と連通するようにして穿設されている。
【００２６】
ベース板(7a)の下面には、内方の側端が開口する上向きの凹部(12)が形成され、この凹部(12)には、組立後のパネル(１)を幕板(３)の上部の取付孔（図示略）に挿入して立設するための支持部材(13)（図２参照）における上端の外向きの水平支持板(13a)が嵌合され、下方より２本のねじ(14)により固定されるようになっている。
【００２７】
コ形枠杆(4a)と下部枠杆(4b)とを連結するには、まず下部枠杆(4b)の両側端の筒部内に、左右の連結部材(７)における内向筒部(7c)の小径部(８)を嵌合し、左右方向を向く取付孔(10)を通して通孔(11)に挿入したねじ(15)を、下部枠杆(4b)の側端部の内部に予め固着しておいためねじ板(16)に螺合することにより、連結部材(７)を下部枠材(4b)に固定する。
【００２８】
ついで、コ形枠杆(4b)の左右の下端を、両連結部材(７)における上向筒部(7b)の小径部(８)に嵌合し、上下方向を向く取付孔(９)を通して通孔(11)に挿入したねじ(15)を、コ形枠杆(4a)の両下端部内に予め固着しておいためねじ板(16)に螺合する。
これにより、方形をなす枠状フレーム(５)が組立てられる。
【００２９】
上記パネル支持枠(５)は、上部支持材(5a)、左右１対の側部支持材(5b)(5b)、下部支持材(5c)、及び左右２個のコーナ支持材(5d)(5d)からなり、コーナ支持材(5d)は合成樹脂により、その他の支持材(5a)〜(5c)は、アルミニウム合金等の押し出し成形により、それぞれ形成されている。
【００３０】
上記各支持材(5a)〜(5d)の断面形状は、図５に示すように、内向コ字状のパネル保持部(17)と、その外面の前後両端より外向きに突設する前後１対のフレーム保持片(18)(18)とからなる概ねＨ状に形成されている。
【００３１】
両フレーム保持片(18)は、遊端が互いに接近する方向にハの字状に傾斜しており、それらの対向面とパネル保持部(17)の外面との間には、上記枠状フレーム(４)の内周面が嵌合される凹部が形成されている。
【００３２】
コーナ支持材(5d)は、コ形枠杆(4a)の上面の隅部内面の曲面とほぼ同じ曲率で折曲された円弧状をなし、その両端には、図６に示すように、上部支持材(5a)のパネル保持部(17)の水平をなす基部側端面と、側部支持材(5b)の垂直をなす基部の上端面とに形成された係合孔(19)に嵌合可能な連結片(20)(20)が突設されている。
【００３３】
上部支持材(5a)と側部支持材(5b)とは、コーナ支持材(5d)の連結片(20)を、両支持材(5a)(5b)の係合孔(19)に嵌合することにより、連結される。
【００３４】
両側部支持材(5b)の下端と下部支持材(5c)の側端は、斜め４５°に切除され、それらの切除面同士を当接させて連結されるようになっている。
【００３５】
パネル材(６)は、芯材(6a)の表面を、クロス等の表皮材(6b)により覆って形成され、その上下及び左右寸法は、パネル支持枠(５)の上下及び左右の対向面間の寸法とほぼ等寸とされ、かつ前後寸法は、パネル保持部(17)のコ字状部内に着脱可能に嵌合しうる寸法とされている。
【００３６】
次に、パネル(１)の組立て要領について説明する。
まず、上部支持材(5a)と側部支持材(5b)とを、上記の要領でコーナ支持材(5d)により連結し、下向きコ字状に形成したのち、これを、パネル材(６)に、その両側部と上部の外周部がパネル保持部(17)内に嵌合されるようにして、上方より嵌め込む。
ついで、下向きコ字状に組付けたパネル支持枠(５)の外面に、コ形枠杆(4a)を上方より嵌合し、その内周面をフレーム保持片(18)(18)間に若干凹入させて支持する。
【００３７】
ついで、両端に連結部材(７)が固定された下部枠杆(4b)の上面に、下部支持材(5c)における両フレーム保持片(18)を載置したのち、その上面側のパネル保持部(17)をパネル材(６)の下端部に嵌合するとともに、側部支持材(5b)の下端と下部支持材(5c)の側端との４５°の切除面を当接させる。
【００３８】
最後に、コ形枠杆(4a)の左右の下端部を、左右の連結部材(７)の上向筒部(7b)の小径部(８)に嵌合し、下方よりねじ(15)により固定すれば、パネル(１)の組立ては完了する。
組立て後のパネル(１)は、両連結部材(７)の下端に固定した支持部材(13)を幕板(３)の支持孔（図示略）に嵌合することにより、机の後端部上に立設することができる。
【００３９】
以上説明したように、上記第１の実施形態のパネル構造においては、パネル材(６)は、その外周部がパネル支持枠(５)により保持され、かつパネル支持枠(５)の外周面は、フレーム保持片(18)間に内面の一部が嵌合されたパイプ状の枠状フレーム(４)により強固に囲繞されているので、枠状フレーム(４)より外れたり、がた付いたりする恐れはなく、強固に取付けられる。
【００４０】
また、枠状フレーム(４)には、パネル材(６)を取付けるための加工等を何ら施す必要がないので、製造コストが削減されるとともに、パネル支持枠(５)のパネル保持部(17)の形状を変えるのみで、同じ枠状フレーム(４)を用いて、表面形状や材質等の異なる多種多様のパネル材を取付けることができる。
【００４１】
図７は、本発明の第２の実施形態を示すもので、上下寸法の大きなサイドパネル等に適用した例の分解斜視図である。
【００４２】
この実施形態において、パネル(21)の枠状フレーム(22)は、上記と同じ金属パイプよりなる正面視倒立Ｌ字状をなすＬ形枠杆(22a)と、その２辺と対向する側部と下部の開口端を閉塞する直管状の側部枠杆(22b)と下部枠杆(22c)とからなり、Ｌ形枠杆(22a)の上部の側端と側部枠杆(22b)の上端部の内面、Ｌ形枠杆(22a)の下端部の内面と下部枠杆(22c)の左側端、及び側部枠杆(22b)の下端部の内面と下部枠杆の(22c)の右側端同士を、それぞれねじ(23)により固定することにより、枠状に組立てられる。
【００４３】
Ｌ形枠杆(22a)の下端と側部枠杆(22b)の下端とには、高さ調節用のアジャスタ(24)(24)が取付けられる。
【００４４】
上記と同じ断面形状をなすパネル支持枠(25)は、上部支持材(25a)、左右の側部支持材(25b)(25b)、下部支持材(25c)、及び上部支持材(25a)と左端と左方の側部支持材(25b)の上端とを連結するコーナ支持材(25d)からなっている。
【００４５】
コーナ支持材(25d)の両端には、上述と同様、上部支持材(25a)の側端及び側部支持材(25b)の上端に形成した係合孔（図示略）に嵌合される連結片(26)が突設され、上部支持材(25a)と左方の側部支持材(25b)とは、コーナ支持材(26)により倒立Ｌ字状に連結される。
【００４６】
上記と同様のパネル材(27)の上下及び左右寸法は、パネル支持枠(25)の内面のパネル保持部(28)の上下及び左右の対向面間の寸法とほぼ等寸とされている。
【００４７】
パネル(21)を組立てるには、まずパネル材(27)の外周端部に、Ｌ字状に連結された上部支持材(25a)と左方の側部支持材(25b)、右方の側部支持材(25b)、及び下部支持材(25c)の内面のパネル保持部(28)を嵌合する。
【００４８】
ついで、各支持材(25a)〜(25d)の外面における上述と同様の１対のフレーム保持片（図示略）に、Ｌ形枠杆(22a)と、側部枠杆(22b)と、下部枠杆(22c)との内面を当接させ、それらをねじ(23)により枠状に結合する。
【００４９】
これにより、パネル(21)の組立ては完了する。
この実施形態においても、上記第１の実施形態と同様の作用効果を奏することができる。
【００５０】
本発明は、上記実施形態に限定されるものでない。
パネル支持枠(５)(25)を構成する各支持材の断面形状は、図８に示すように、外周面に枠状フレーム(４)(22)の内周面の断面形状と整合し、そのほぼ半周部が密着して嵌合しうる半円状の凹部(29)を有すほぼＨ状としてもよい。
【００５１】
図５の２点鎖線で示すように、パネル支持枠(５)と枠状フレーム(４)との複数個所を、パネル支持枠(５)の内方から枠状フレーム(４)に向かって螺挿した皿ねじ(30)により固定するようにしてもよい。
このようにすると、パネル材(６)はより強固に取付けられる。
【００５２】
枠状フレーム(４)(22)は、上記円形のパイプにより形成する以外に、楕円又は角筒状断面としたりすることもある。
この際には、パネル支持枠(５)(25)の外面の断面形状を適宜変更すればよい。
【００５３】
第１の実施形態において、コ形枠杆(4a)の向きは、パネルの上下左右寸法に応じて、左右方向を向くコ字状としたり、上向きコ字状に配置したりすることもある。
この際は、最下部に位置する水平枠杆の左右両端部に、机の幕板等のパネル支持体に取付可能な別の支持部材を設ければよい。
【図面の簡単な説明】
【００５４】
【図１】本発明を机のデスクトップパネルに適用した第１の実施形態を示す斜視図である。
【図２】同じく、分解斜視図である。
【図３】連結部材の斜視図である。
【図４】枠状フレームにおけるコ形枠杆と下部枠杆との連結部の一部切欠き正面図である。
【図５】図１のＶ−Ｖ線拡大縦断側面図である。
【図６】パネル支持枠のコーナー部の連結構造を示す一部切欠き正面図である。
【図７】本発明をサイドパネルに適用した第２の実施形態を示す分解斜視図である。
【図８】パネル支持枠の外面の断面形状の変形例を示す図５と同部位の縦断側面図である。
【符号の説明】
【００５５】
(１)パネル
(２)机
(３)幕板
(４)枠状フレーム
(4a)コ形枠杆
(4b)下部枠杆（直状枠杆）
(５)パネル支持枠
(5a)上部支持材
(5b)側部支持材
(5c)下部支持材
(5d)コーナ支持材
(６)パネル材
(6a)芯材
(6b)表皮材
(７)連結部材
(7a)ベース板
(7b)上向筒部
(7c)内向筒部
(８)小径部
(９)(10)取付孔
(11)通孔
(12)凹部
(13)支持部材
(13a)水平支持板
(14)(15)ねじ
(16)めねじ板
(17)パネル保持部
(18)フレーム保持片
(19)係合孔
(20)連結片
(21)パネル
(22)枠状フレーム
(22a)Ｌ形枠杆
(22b)側部枠杆
(22c)下部枠杆
(23)ねじ
(24)アジャスタ
(25)パネル支持枠
(25a)上部支持材
(25b)側部支持材
(25c)下部支持材
(25d)コーナ支持材
(26)連結片
(27)パネル材
(28)パネル保持部
(29)凹部
(30)皿ねじ
【図１】
2005143563.tif 000003
【図２】
2005143563.tif 000004
【図３】
2005143563.tif 000005
【図４】
2005143563.tif 000006
【図５】
2005143563.tif 000007
【図６】
2005143563.tif 000008
【図７】
2005143563.tif 000009
【図８】
2005143563.tif 000010